(57)【要約】  本発明は、ＵＥＤ分類体系情報を用いるカスタマイズされた放送サービス提供装置及び方法に関し、番組及びパッケージを含む放送コンテンツをユーザ端末に提供するカスタマイズされた放送システムにおいて、ＡＶ番組及びパッケージ、又は、パッケージを構成するそれぞれのコンポーネントが消費環境及びユーザ選好度に合わせて選択できるようにするターゲット機能を支援するため、ＵＥＤ分類体系情報を用いるカスタマイズされた放送サービス提供装置であって、前記放送コンテンツ及び前記ＵＥＤ分類体系情報を含むメタデータをユーザ端末に公示して提供するコンテンツ提供手段と、前記ユーザ端末から受信した検索及び選択信号に相応するコンテンツ識別情報を提供するコンテンツ検索手段とを含む、前記ＵＥＤ分類体系情報が、前記ＡＶ番組とパッケージ、又はパッケージを構成するそれぞれのコンポーネントの消費に適切なユーザ環境及び選好度を記述してユーザ端末が自体の環境及び選好度に合わせてコンテンツを選択できるようにするメタデータであることを特徴とする。
2008532343.tif 000002
【特許請求の範囲】
【請求項１】
ＡＶ番組及びパッケージを含む放送コンテンツをユーザ端末に提供するカスタマイズされた放送システムにおいて、ＡＶ番組、パッケージ、又はパッケージを構成するそれぞれのコンポーネントが消費環境及びユーザ選好度に合せて選択できるようにするターゲット機能を支援するため、ＵＥＤ分類体系情報を用いるカスタマイズされた放送サービス提供装置であって、
前記放送コンテンツ及び前記ＵＥＤ分類体系情報を含むメタデータをユーザ端末に公示して提供するコンテンツ提供手段と、
前記ユーザ端末から受信した検索及び選択信号に相応するコンテンツ識別情報を提供するコンテンツ検索手段と
を備え、
前記ＵＥＤ分類体系情報が、
ユーザ端末が自体の環境及び選好度に合ったコンテンツを選択できるように、コンテンツの消費環境を記述するメタデータであることを特徴とするＵＥＤ分類体系情報を用いるカスタマイズされた放送サービス提供装置。
【請求項２】
前記コンテンツ提供手段が、
前記放送コンテンツを構成するＡＶ番組又は／及びパッケージを生成するコンテンツ生成手段と、
前記ＵＥＤ分類体系情報を含むメタデータを提供するコンテンツサービス提供手段と
を備えることを特徴とする請求項１に記載のＵＥＤ分類体系情報を用いるカスタマイズされた放送サービス提供装置。
【請求項３】
前記コンテンツ生成手段が、
ＡＶ番組に対して独立的なパッケージを提供する場合は、パッケージのみを生成し、
ＡＶ番組に対して依存的なパッケージを提供する場合は、ＡＶ番組及びパッケージを生成することを特徴とする請求項２に記載のＵＥＤ分類体系情報を用いるカスタマイズされた放送サービス提供装置。
【請求項４】
前記コンテンツ検索手段が、
ユーザがＡＶ番組又はパッケージを検索できるようにするため、電子番組ガイド（Ｅｌｅｃｔｒｏｎｉｃ  Ｐｒｏｇｒａｍ  Ｇｕｉｄｅ、以下、ＥＰＧとする）を用いて前記ＵＥＤ分類体系情報を含むメタデータを提供することを特徴とする請求項１に記載のＵＥＤ分類体系情報を用いるカスタマイズされた放送サービス提供装置。
【請求項５】
前記ＵＥＤ分類体系情報が、
ユーザ端末タイプを分類して記述する端末タイプ分類体系情報を含むことを特徴とする請求項１に記載のＵＥＤ分類体系情報を用いるカスタマイズされた放送サービス提供装置。
【請求項６】
前記端末タイプの分類体系情報が、
車両端末に関するタイプを分類して記述する車両端末タイプ情報を含むことを特徴とする請求項５に記載のＵＥＤ分類体系情報を用いるカスタマイズされた放送サービス提供装置。
【請求項７】
前記車両端末タイプ情報が、
車両用ステレオ、車両用ナビゲーション、及び車両用ＡＶに分類して記述することを特徴とする請求項６に記載のＵＥＤ分類体系情報を用いるカスタマイズされた放送サービス提供装置。
【請求項８】
前記端末タイプの分類体系情報が、下記のようなＸＭＬ構文として記述される車両端末タイプ情報を含むことを特徴とする請求項５に記載のＵＥＤ分類体系情報を用いるカスタマイズされた放送サービス提供装置。
【数１】
2008532343.tif 000013
【請求項９】
前記ＵＥＤ分類体系情報が、
ユーザの位置する環境条件を分類して記述する位置タイプの分類体系情報を含むことを特徴とする請求項１に記載のＵＥＤ分類体系情報を用いるカスタマイズされた放送サービス提供装置。
【請求項１０】
前記位置タイプの分類体系情報が、
移動中のユーザの移動環境条件を分類して記述する移動タイプ情報を含むことを特徴とする請求項９に記載のＵＥＤ分類体系情報を用いるカスタマイズされた放送サービス提供装置。
【請求項１１】
前記移動タイプ情報が、
ユーザが、公共交通機関を利用している移動タイプを示す公共交通タイプ情報と、
車両を利用している移動タイプを示す車両タイプ情報と、
汽車を利用している移動タイプを示す汽車タイプ情報と、
飛行機を利用している移動タイプを示す飛行機タイプ情報と、
徒歩で移動しているタイプを示す徒歩タイプ情報と
を含むことを特徴とする請求項１０に記載のＵＥＤ分類体系情報を用いるカスタマイズされた放送サービス提供装置。
【請求項１２】
前記徒歩タイプ情報が、
歩くタイプと走るタイプとに分類して記述することを特徴とする請求項１１に記載のＵＥＤ分類体系情報を用いるカスタマイズされた放送サービス提供装置。
【請求項１３】
前記位置タイプの分類体系情報が、下記のようなＸＭＬ構文として記述される移動タイプ分類情報を含むことを特徴とする請求項１０に記載のＵＥＤ分類体系情報を用いるカスタマイズされた放送サービス提供装置。
【数２】
2008532343.tif 000014
【請求項１４】
前記ＵＥＤ分類体系情報が、気象に関する環境条件を分類して定義して記述する気象タイプの分類体系情報を含むことを特徴とする請求項１に記載のＵＥＤ分類体系情報を用いるカスタマイズされた放送サービス提供装置。
【請求項１５】
前記気象タイプの分類体系情報が、四季分類用語、通常気象分類用語及び異常気象分類用語（ｅｘｔｒｅｍｅ  ｗｅａｔｈｅｒ）を定義して記述することを特徴とする請求項１４に記載のＵＥＤ分類体系情報を用いるカスタマイズされた放送サービス提供装置。
【請求項１６】
前記異常気象分類用語が、ハリケーン、台風、及びトルネードを分類して記述することを特徴とする請求項１５に記載のＵＥＤ分類体系情報を用いるカスタマイズされた放送サービス提供装置。
【請求項１７】
前記四季分類用語が、下記のＸＭＬ構文として記述されることを特徴とする請求項１５に記載のＵＥＤ分類体系情報を用いるカスタマイズされた放送サービス提供装置。
【数３】
2008532343.tif 000015
【請求項１８】
前記通常気象分類用語が、下記のＸＭＬ構文として記述されることを特徴とする請求項１５に記載のＵＥＤ分類体系情報を用いるカスタマイズされた放送サービス提供装置。
【数４】
2008532343.tif 000016
【請求項１９】
前記異常気象分類用語が、下記のＸＭＬ構文として記述されることを特徴とする請求項１５に記載のＵＥＤ分類体系情報を用いるカスタマイズされた放送サービス提供装置。
【数５】
2008532343.tif 000017
【請求項２０】
ＡＶ番組及びパッケージを含む放送コンテンツをユーザ端末に提供するカスタマイズされた放送システムにおいて、ＡＶ番組、パッケージ、又はパッケージを構成するそれぞれのコンポーネントが消費環境及びユーザ選好度に合わせて選択できるようにするターゲット機能を支援するため、使用環境記述（Ｕｓａｇｅ  Ｅｎｖｉｒｏｎｍｅｎｔ  Ｄｅｓｃｒｉｐｔｉｏｎ、以下ＵＥＤとする）分類体系情報を用いるカスタマイズされた放送サービス提供方法であって、
前記放送コンテンツ及び前記ＵＥＤ分類体系情報を含むメタデータを前記ユーザ端末で公示する公示ステップと、
前記ユーザ端末から受信した検索及び選択信号に相応するコンテンツ識別情報を提供するコンテンツ検索・選択ステップと、
前記コンテンツ識別情報を用いて放送コンテンツの物理的位置を決定して位置情報を提供する位置決定ステップと、
前記位置情報に基づいて放送コンテンツを提供するコンテンツ提供ステップと
を含み、
前記ＵＥＤ分類体系情報が、
ユーザ端末が、自体の環境及び選好度に合ったコンテンツを選択できるようにコンテンツの消費環境を記述するメタデータであることを特徴とするＵＥＤ分類体系情報を用いるカスタマイズされた放送サービス提供方法。
【請求項２１】
前記コンテンツ検索・選択ステップが、
ユーザがＡＶ番組又はパッケージを検索できるようにするため、電子番組ガイド（Ｅｌｅｃｔｒｏｎｉｃ  Ｐｒｏｇｒａｍ  Ｇｕｉｄｅ、以下ＥＰＧとする。）を用いて前記ＵＥＤ分類体系情報を含むメタデータを提供するステップ
を含むことを特徴とする請求項２０に記載のＵＥＤ分類体系情報を用いるカスタマイズされた放送サービス提供方法。
【請求項２２】
前記ＵＥＤ分類体系情報が、
ユーザ端末のタイプを分類して記述する端末タイプの分類体系情報を含むことを特徴とする請求項２０に記載のＵＥＤ分類体系情報を用いるカスタマイズされた放送サービス提供方法。
【請求項２３】
前記端末タイプの分類体系情報が、
車両端末に関するタイプを分類して記述する車両端末タイプ情報を含むことを特徴とする請求項２２に記載のＵＥＤ分類体系情報を用いるカスタマイズされた放送サービス提供方法。
【請求項２４】
前記車両端末タイプ情報が、
車両用ステレオ、車両用ナビゲーション、及び車両用ＡＶに分類して記述することを特徴とする請求項２３に記載のＵＥＤ分類体系情報を用いるカスタマイズされた放送サービス提供方法。
【請求項２５】
前記ＵＥＤ分類体系情報が、
ユーザの位置する環境条件を分類して記述する位置タイプの分類体系情報を含むことを特徴とする請求項２０に記載のＵＥＤ分類体系情報を用いるカスタマイズされた放送サービス提供方法。
【請求項２６】
前記位置タイプの分類体系情報が、
移動中のユーザの移動環境条件を分類して記述する移動タイプ情報を含むことを特徴とする請求項２５に記載のＵＥＤ分類体系情報を用いるカスタマイズされた放送サービス提供方法。
【請求項２７】
前記移動タイプ情報が、
ユーザが、公共交通機関を利用している移動タイプを示す公共交通タイプ情報と、
車両を利用している移動タイプを示す車両タイプ情報と、
汽車を利用している移動タイプを示す汽車タイプ情報と、
飛行機を利用している移動タイプを示す飛行機タイプ情報と、
徒歩で移動中タイプを表す徒歩タイプ情報と
を含むことを特徴とする請求項２５に記載のＵＥＤ分類体系情報を用いるカスタマイズされた放送サービス提供方法。
【請求項２８】
前記徒歩タイプ情報が、
歩くタイプと走るタイプとを分類して記述することを特徴とする請求項２７に記載のＵＥＤ分類体系情報を用いるカスタマイズされた放送サービス提供方法。
【請求項２９】
前記ＵＥＤ分類体系情報が、
気象に関する環境条件を分類して定義して記述する気象タイプの分類体系情報を含むことを特徴とする請求項２０に記載のＵＥＤ分類体系情報を用いるカスタマイズされた放送サービス提供方法。
【請求項３０】
前記気象タイプの分類体系情報が、
四季分類用語、通常気象分類用語及び異常気象分類用語を定義して記述することを特徴とする請求項２９に記載のＵＥＤ分類体系情報を用いるカスタマイズされた放送サービス提供方法。
【請求項３１】
前記異常気象分類用語が、
ハリケーン、台風、及びトルネードを分類して記述することを特徴とする請求項３０に記載のＵＥＤ分類体系情報を用いるカスタマイズされた放送サービス提供方法。
【請求項３２】
前記四季分類用語が、下記のＸＭＬ構文として記述されることを特徴とする請求項３０に記載のＵＥＤ分類体系情報を用いるカスタマイズされた放送サービス提供方法。
【数６】
2008532343.tif 000018
【請求項３３】
前記通常気象分類用語が、下記のＸＭＬ構文として記述されることを特徴とする請求項３０に記載のＵＥＤ分類体系情報を用いるカスタマイズされた放送サービス提供方法。
【数７】
2008532343.tif 000019
【請求項３４】
前記異常気象分類用語が、下記のＸＭＬ構文として記述されることを特徴とする請求項３０に記載のＵＥＤ分類体系情報を用いるカスタマイズされた放送サービス提供方法。
【数８】
2008532343.tif 000020
【請求項３５】
ＡＶ番組及びパッケージを含む放送コンテンツを提供し、同期化機能及びターゲット機能を支援するカスタマイズされた放送サービスをＵＥＤ分類体系情報を用いて提供するカスタマイズされた放送サービス提供装置と、
該カスタマイズされた放送サービス提供装置から前記放送コンテンツ及びメタデータを受信して消費するユーザ端末と
を備え、
前記ＵＥＤ分類体系情報が、
ユーザ端末が自体の環境及び選好度に合ったコンテンツを選択できるようにコンテンツの消費環境を記述するメタデータであることを特徴とするＵＥＤ分類体系情報を用いるカスタマイズされた放送システム。
【請求項３６】
前記カスタマイズされた放送サービス提供装置が、
前記ＵＥＤ分類体系情報を含むメタデータをユーザ端末に公示して提供するコンテンツ提供手段と、
前記ユーザ端末から受信した検索及び選択信号に相応するコンテンツ識別情報を提供するコンテンツ検索手段と
を備えることを特徴とする請求項３５に記載のカスタマイズされた放送システム。
【請求項３７】
前記ユーザ端末が、
前記ＵＥＤ分類体系情報を含むメタデータを用いて放送コンテンツを検索及び選択して獲得し、ユーザ入力信号に相応してユーザ端末の構成要素を起動させるユーザ相互作用部と、
前記放送コンテンツ及びメタデータを格納して管理する格納装置管理部と、
ユーザが視聴できるように前記放送コンテンツ及びメタデータを表出するコンテンツ出力部と
を備えることを特徴とする請求項３６に記載のカスタマイズされた放送システム。
【請求項３８】
前記ユーザ相互作用部が、
前記パッケージを受信し、パッケージに属する個別コンポーネントのアトラクティブメタデータを把握し、それぞれのコンポーネントの消費に適切なユーザ環境及び選好度情報と自体の環境及び選好度とを前記ＵＥＤ分類体系情報を用いて比較し、消費しようとする全体又は部分コンポーネントを自動又は半自動的に選択することを特徴とする請求項３６に記載のカスタマイズされた放送システム。
【請求項３９】
前記ＵＥＤ分類体系情報が、
ユーザ端末のタイプを分類して記述する端末タイプの分類体系情報と、
ユーザの位置している環境条件を分類して記述する位置タイプの分類体系情報と、
気象に関する環境条件を分類して定義して記述する気象タイプの分類体系情報と
を含むことを特徴とする請求項３５に記載のカスタマイズされた放送システム。
【請求項４０】
同期化機能及びターゲット機能を支援するカスタマイズされた放送サービスをカスタマイズされた放送サービス提供装置からユーザ端末装置に提供するカスタマイズされた放送システムにおいて、ＡＶ番組及びパッケージを含む放送コンテンツをＵＥＤ分類体系情報を用いて提供を受けるユーザ端末装置であって、
前記カスタマイズされた放送サービス提供装置から公示された前記ＵＥＤ分類体系情報を含むメタデータを用いて放送コンテンツを検索及び選択して獲得するユーザ相互作用部と、
前記獲得した放送コンテンツ及びメタデータを格納して管理する格納装置管理部と、
ユーザが視聴できるように前記放送コンテンツ及びメタデータを表出するコンテンツ出力部と
を含み、
前記ＵＥＤ分類体系情報が、
ユーザ端末が、自体の環境及び選好度に合ったコンテンツを選択できるようにコンテンツの消費環境を記述するメタデータであることを特徴とするＵＥＤ分類体系情報を用いたユーザ端末装置。
【請求項４１】
前記ユーザ相互作用部が、
前記パッケージに属している個別コンポーネントのアトラクティブメタデータを把握し、それぞれのコンポーネントの消費に適切なユーザ環境及び選好度情報と自体の環境及び選好度とを前記ＵＥＤ分類体系情報を用いて比較し、消費しようとする全体又は部分コンポーネントを自動又は半自動的に選択することを特徴とする請求項４０に記載のユーザ端末装置。
【請求項４２】
前記ＵＥＤ分類体系情報が、
ユーザ端末のタイプを分類して記述する端末タイプの分類体系情報と、
ユーザの位置している環境条件を分類して記述する位置タイプの分類体系情報と、
気象に関する環境条件を分類して定義して記述する気象タイプの分類体系情報と
を含むことを特徴とする請求項４０に記載のユーザ端末装置。
【請求項４３】
前記端末タイプの分類体系情報が、
車両端末に関するタイプを分類して記述する車両端末タイプ情報を含むことを特徴とする請求項４２に記載のユーザ端末装置。
【請求項４４】
前記位置タイプの分類体系情報が、
移動中のユーザの移動環境条件を分類して記述する移動タイプ情報を含むことを特徴とする請求項４２に記載のユーザ端末装置。
【請求項４５】
ＴＶＡ（ＴＶ−Ａｎｙｔｉｍｅ）放送サービスのためのＵＥＤ分類体系情報を含むメタデータ構造において、
前記ＵＥＤ分類体系情報が、
ユーザ端末のタイプを分類して記述する端末タイプの分類体系情報と、
ユーザの位置している環境条件を分類して記述する位置タイプの分類体系情報と、
気象に関する環境条件を分類して定義して記述する気象タイプの分類体系情報と
を含むことを特徴とするメタデータ構造。
【発明の詳細な説明】
【発明の詳細な説明】
【０００１】
［技術分野］
本発明は、使用環境記述（Ｕｓａｇｅ  Ｅｎｖｉｒｏｎｍｅｎｔ  Ｄｅｓｃｒｉｐｔｉｏｎ、以下、ＵＥＤとする）の分類体系情報を用いるカスタマイズされた放送サービス提供装置及び方法に関し、更に詳しくは、ＴＶＡ（ＴＶ−Ａｎｙｔｉｍｅ）システムのようなカスタマイズされた放送システムにおいて、ＡＶ（Ａｕｄｉｏ  Ｖｉｄｅｏ）番組、パッケージ、又は、パッケージを構成するそれぞれのコンポーネントをユーザの消費環境及び選好度に合わせて選択できるようにするターゲット機能を提供するためのＵＥＤ分類体系情報を用いるカスタマイズされた放送サービス提供装置、及び方法に関する。
【０００２】
［背景技術］
放送のデジタル化に伴い、マルチメディア、マルチチャンネルのみならず、これまでの単方向の放送受信から放送通信ネットワークの連動を介する様々な受信端末を受け入れなど、放送環境は、複雑な形へと急速に変化している。視聴者側では、制限されたチャンネル選択のみで放送番組を受信する受動的な視聴を逸脱し、放送サービスに直接参加、又は所望の時間に所望の番組を受信、視聴しようとする要求が広まっている。
【０００３】
このような変化は、放送環境が、より複雑、多様、及び個人化した形に進化していると要約できる。カスタマイズされた放送は、このような複雑多様な新しい放送環境で視聴者がより便利で効率的に所望の放送コンテンツを所望の時間に様々な端末で視聴者の嗜好に合わせて所望の形で消費できるようにする。すなわち、カスタマイズされた放送は、ユーザの嗜好、端末性能、ネットワーク特性、及び自然環境（時間、場所、及びユーザの気分状態等）などを含む使用環境に適したカスタマイズされた放送コンテンツを提供しようとするものである。
【０００４】
このようなカスタマイズされた放送について、その標準を定めるための団体として「ＴＶ−Ａｎｙｔｉｍｅ」フォーラムがある。「ＴＶ−Ａｎｙｔｉｍｅ」フォーラムは、ＰＤＲ（Ｐｅｒｓｏｎａｌ  Ｄｉｇｉｔａｌ  Ｒｅｃｏｄｅｒ）を備えたユーザ環境におけるオーディオビジュアルに関するサービスの提供のための標準開発を目的として１９９９年９月に設立された民間標準機構である。
【０００５】
前記「ＴＶ−Ａｎｙｔｉｍｅ」フォーラムにおけるカスタマイズ放送についての標準は、仮定しているシステム環境及び提供しようとする主な機能的側面において、Ｐｈａｓｅ１（ＴＶＡ−１）とＰｈａｓｅ２（ＴＶＡ−２）との２段階に分けられる。
【０００６】
ＴＶＡ−１は、メインの放送番組が、単方向の放送チャンネルで伝送され、双方向ネットワークを介して追加メタデータの獲得ができる環境で、ＰＤＲ（Ｐｅｒｓｏｎａｌ  Ｄｉｇｉｔａｌ  Ｒｅｃｏｄｅｒ）を中心としてＡＶ（Ａｕｄｉｏ／Ｖｉｄｅｏ）コンテンツの探索・選択・獲得・消費などのアプリケーションサービスを可能とするためのものである。
【０００７】
前記メタデータとは、番組のタイトル、ジャンル、概要などのコンテンツについての説明的データを意味し、通常、データに関するデータ（ｄａｔａ  ａｂｏｕｔ  ｄａｔａ）と定義される。
【０００８】
ＴＶＡ−２は、単方向の放送チャンネル及び双方向ネットワークを仮定したＴＶＡ−１の消費環境を拡張し、ホームネットワーク環境において、ＴＶＡ−１の主なサービス対象であったＡＶ番組のみならず、アプリケーション番組・広告・イメージ・テキストなどの様々な形のメディアコンポーネントを組み合わせて１つの選択単位として識別・獲得できるパッケージを提供する。
【０００９】
パッケージは、パッケージ及びコンポーネントについての情報を記述し、パッケージを構成するそれぞれのコンポーネントが消費環境及びユーザの選好度に合わせて選択できるようにするターゲット機能を提供し、時間的・空間的関係記述を介して正確な消費を可能とする同期化機能を提供する。
【００１０】
また、ＴＶＡシステムは、サービスするＡＶ番組、パッケージ、及びパッケージを構成するそれぞれのコンポーネントが消費環境及びユーザの選好度に合わせて選択できるようにするターゲット機能を提供する。
【００１１】
ここで、前記ターゲット機能を効率的に実現するためには、ユーザ端末のタイプ又はユーザ位置などに対する使用環境を記述する分類体系情報を詳細、かつ、明確に定義して用いることが求められる。
【００１２】
［発明が解決しようとする課題］
本発明は、前記要求に応じるために提案されたものであって、その目的は、使用環境を具体的、かつ、明確に分類して記述するＵＥＤ分類体系情報を定義して用いることによって、ＡＶ番組、パッケージ、及びパッケージを構成するそれぞれのコンポーネントをユーザの消費環境及び選好度に合わせて選択できるようにするターゲット機能を効率的に支援できるＵＥＤ分類体系情報を用いるカスタマイズされた放送サービス提供装置及び方法を提供することにある。
【００１３】
本発明の他の目的及び長所は、下記の説明によって理解することができ、本発明の実施例によって、更に詳しく理解し得るはずである。また、本発明の目的及び長所は、特許請求の範囲に示す手段及びその組み合わせによって実現することが分かるであろう。
【００１４】
［課題を解決するための手段］
上記の目的を達成するための本発明は、ＡＶ番組及びパッケージを含む放送コンテンツをユーザ端末に提供するカスタマイズされた放送システムにおいて、ＡＶ番組、パッケージ、又はパッケージを構成するそれぞれのコンポーネントが消費環境及びユーザ選好度に合わせて選択できるようにするターゲット機能を支援するため、使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を用いるカスタマイズされた放送サービス提供装置であって、前記放送コンテンツ及び前記ＵＥＤ分類体系情報を含むメタデータをユーザ端末に公示して提供するコンテンツ提供手段と、前記ユーザ端末から受信した検索及び選択信号に相応するコンテンツ識別情報を提供するコンテンツ検索手段とを備え、前記ＵＥＤ分類体系情報が、上記ＡＶ番組、パッケージ、又はパッケージを構成する各コンポーネントの消費に適切なユーザ環境及び選好度を記述し、ユーザ端末が、自体の環境及び選好度に合ったコンテンツを選択できるように、コンテンツの消費環境を記述するメタデータであることを特徴とする。
【００１５】
また、本発明は、ＡＶ番組及びパッケージを含む放送コンテンツをユーザ端末に提供するカスタマイズされた放送システムにおいて、ＡＶ番組、パッケージ、又はパッケージを構成するそれぞれのコンポーネントが消費環境及びユーザ選好度に合せて選択できるようにするターゲット機能を支援するためにＵＥＤ分類体系情報を用いるカスタマイズされた放送サービス提供方法であって、前記放送コンテンツ及び前記ＵＥＤ分類体系情報を含むメタデータを前記ユーザ端末で公示する公示ステップと、前記ユーザ端末から受信した検索及び選択信号に相応するコンテンツ識別情報を提供するコンテンツ検索・選択ステップと、前記コンテンツ識別情報を用いて放送コンテンツの物理的位置を決定して位置情報を提供する位置決定ステップと、前記位置情報に基づいて放送コンテンツを提供するコンテンツ提供ステップとを含み、前記ＵＥＤ分類体系情報が、上記ＡＶ番組、パッケージ、又はパッケージを構成する各コンポーネントの消費に適切なユーザ環境及び選好度を記述し、ユーザ端末が、自体の環境及び選好度に合ったコンテンツを選択できるようにコンテンツの消費環境を記述するメタデータであることを特徴とする。
【００１６】
また、本発明は、カスタマイズされた放送システムであって、ＡＶ番組及びパッケージを含む放送コンテンツを提供し、同期化機能及びターゲット機能を支援するカスタマイズされた放送サービスをＵＥＤ分類体系情報を用いて提供するカスタマイズされた放送サービス提供装置と、該カスタマイズされた放送サービス提供装置から前記放送コンテンツ及びメタデータを受信して消費するユーザ端末とを備え、前記ＵＥＤ分類体系情報が、ユーザ端末が、自体の環境及び選好度に合ったコンテンツを選択できるようにコンテンツの消費環境を記述するメタデータであることを特徴とする。
【００１７】
また、本発明は、同期化機能及びターゲット機能を支援するカスタマイズされた放送サービスをカスタマイズされた放送サービス提供装置からユーザ端末装置に提供するカスタマイズされた放送システムにおいて、ＡＶ番組及びパッケージを含む放送コンテンツをＵＥＤ分類体系情報を用いて提供を受けるユーザ端末装置であって、前記カスタマイズされた放送サービス提供装置から公示された前記ＵＥＤ分類体系情報を含むメタデータを用いて放送コンテンツを検索及び選択して獲得するユーザ相互作用部と、前記獲得した放送コンテンツ及びメタデータを格納して管理する格納装置管理部と、ユーザが視聴できるように前記放送コンテンツ及びメタデータを表出するコンテンツ出力部とを含み、前記ＵＥＤ分類体系情報が、ユーザ端末が自体の環境及び選好度に合わせてコンテンツを選択できるようにコンテンツの消費環境を記述するメタデータであることを特徴とする。
【００１８】
また、本発明は、ＴＶＡ（ＴＶ−Ａｎｙｔｉｍｅ）放送サービスのためのＵＥＤ分類体系情報を含むメタデータ構造において、前記ＵＥＤ分類体系情報が、ユーザ端末のタイプを分類して記述する端末タイプの分類体系情報と、ユーザの位置している環境条件を分類して記述する位置タイプの分類体系情報と、気象に関する環境条件を分類して定義して記述する気象タイプの分類体系情報とを含むことを特徴とする。
【００１９】
［発明の効果］
上記のような本発明は、ＴＶＡシステムのようなカスタマイズされた放送システムにおいて、使用環境記述（ＵＥＤ）についての様々な分類体系を提供することによって、カスタマイズされた放送システムがサービスするＡＶ番組、パッケージ、及びパッケージを構成するそれぞれのコンポーネントを新たに定義した消費環境及びユーザ選好度に適応的に提供できるという効果があり、より完成度の高いターゲット機能を提供することができるという効果がある。
【００２０】
［発明の実施のための最良の形態］
図１は、本発明に係るカスタマイズされた放送システムの全体構成図である。
【００２１】
同図に示すように、本発明に係るカスタマイズされた放送システムは、ＡＶ番組及びパッケージを含む放送コンテンツを提供し、同期化機能及びターゲット機能を支援するカスタマイズされた放送サービスを提供するカスタマイズされた放送サービス提供装置１０００と、カスタマイズされた放送サービス提供装置１０００からコンテンツ及びコンテンツに関するメタデータを用いたコンテンツ探索・選択・獲得・消費などのアプリケーションサービスを消費するユーザ端末２０００とが放送チャンネル及び／又は双方向ＩＰネットワークとして構成されたネットワークに接続して構成される。
【００２２】
図２は、本発明に係るカスタマイズされた放送システムの一実施例を示す詳細構成図である。
【００２３】
同図に示すように、カスタマイズされた放送サービス提供装置１０００は、コンテンツ生成部１００（ｃｏｎｔｅｎｔ  ｃｒｅａｔｏｒ）、コンテンツサービス提供部２００（ｃｏｎｔｅｎｅ  ｓｅｒｖｉｃｅ  ｐｒｏｖｉｄｅｒ）、コンテンツ検索・探索部３００（ｓｅａｒｃｈ  ａｎｄ  ｎａｖｉｇａｔｉｏｎ  ｕｎｉｔ）、及び位置決定部４００（ｌｏｃａｔｉｏｎ  ｒｅｓｏｌｕｔｉｏｎ  ｕｎｉｔ）を備え、ユーザ端末２０００は、ユーザ相互作用部６００（ｕｓｅｒ  ｉｎｔｅｒａｃｔｉｏｎ  ｕｎｉｔ）、及び格納装置管理部５００（ｌｏｃａｌ  ｓｔｏｒａｇｅ  ｍａｎａｇｅｍｅｎｔ  ｕｎｉｔ）を備え、コンテンツ出力部（ｃｏｎｔｅｎｔ  ｐｒｅｓｅｎｔａｔｉｏｎ  ｕｎｉｔ）（図示せず）及び保護管理部（ｒｉｇｈｔｓ  ｍａｎａｇｅｍｅｎｔ  ａｎｄ  ｐｒｏｔｅｃｔｉｏｎ  ｕｎｉｔ）（図示せず）を更に備えることができる。それぞれの構成要素の機能は次のとおりである。
【００２４】
コンテンツ生成部１００は、ＡＶ番組又はパッケージを生成する。スタジオ・エンターテイメント会社・ウェブデザイナー又はユーザ連動型コンテンツの製作者が、その役割を担当し得る。
【００２５】
コンテンツサービス提供部２００は、コンテンツとメタデータとの再構成、メタデータの挿入、及びコンテンツの伝送を行い、地上波・衛星・ケーブル放送社、又はウェブキャスター、及びポータル提供者などがその役割の担当となり得る。
【００２６】
コンテンツ検索・探索部３００は、視聴可能なコンテンツに関する電子番組ガイド（Ｅｌｅｃｔｒｏｎｉｃ  Ｐｒｏｇｒａｍ  Ｇｕｉｄｅ、以下、ＥＰＧとする。）に公示する放送メタデータに基づく。コンテンツ検索及び探索機能は、ユーザの選択により、又は端末の自動選択により選択されたコンテンツのコンテンツ識別子（ＣＲＩＤ）を返す。
【００２７】
位置決定部４００は、前記コンテンツ検索・探索部３００で獲得したコンテンツ識別子（ＣＲＩＤ）からチャンネル及び放送時間を含むコンテンツの物理的な位置を決める。
【００２８】
格納装置管理部５００は、放送コンテンツ及びメタデータを格納して管理する。メタデータの場合、ＸＭＬ（Ｅｘｔｅｎｓｉｂｌｅ  Ｍａｒｋｕｐ  Ｌａｎｇｕａｇｅ）データベース又は関係型データベース（ｒｅｌａｔｉｏｎａｌ  ＤＢ）で管理できる。ユーザとサービス提供者との間の双方向メタデータ接続機能は、ユーザからのユーザ履歴情報やユーザ選好度情報の提供に該当する。
【００２９】
ユーザ相互作用部６００は、ユーザ端末の入力装置（キーボード、リモコン、マウス、及びジョイスティックなど）から入力されるユーザ入力信号にしたがって構成要素を起動させる。
【００３０】
コンテンツ出力部（図示せず）は、ユーザが視聴できるようにユーザ端末に放送コンテンツ及びメタデータを提供する。
【００３１】
保護管理部（図示せず）は、前記それぞれの構成要素間のインターフェースを適切な保護管理政策によって保護する（ＥＴＳＩ  ＴＳ  １０２  ８２２−５−１／２、及びＥＴＳＩ  ＴＳ  １０２  ８２２−７“Ｂｉｍｅｔａｄａｔａ  ｄｅｌｉｖｅｒｙ  ｐｒｏｔｅｃｔｉｏｎ”文書参照）。
【００３２】
上述の前記実施例は、完全なる双方向放送環境におけるカスタマイズされた放送システムの構成の一例である。
【００３３】
カスタマイズされた放送システムの実現方法は、サービス環境によって大きく２種類に分けられる。純粋な単方向放送環境や狭帯域双方向チャンネルを有する放送環境では、前記カスタマイズされた放送システムの構成のうち、コンテンツ生成部、コンテンツサービス提供部のみがユーザ端末の外部に存在し、これらを除いた全ての構成は、ユーザ端末でユーザの求めるコンテンツを検索・選択・位置決定・獲得過程を介して消費できるようにする。
【００３４】
一方、前記実施例のように、完全なる双方向放送環境では、カスタマイズされた放送システムの構成のうち、コンテンツ生成部及びコンテンツサービス提供部のみならず、コンテンツ検索・探索部や位置決定部もユーザ端末の外部に存在することができる。したがって、ユーザ端末は、ユーザ相互作用部、コンテンツ出力部、及び格納装置管理部のみを有し、コンテンツサービス提供部又はコンテンツ検索・探索部との双方向接続を介してユーザの求めるコンテンツを検索・選択・位置決定・獲得過程を介して消費できるようにする。
【００３５】
図３は、本発明に係るＵＥＤ分類体系情報を用いるカスタマイズされた放送サービスの提供過程についての一実施例を示すフローチャートである。
【００３６】
本発明に係るカスタマイズされた放送サービスの提供過程は、基本的に、公示（Ｐｕｂｌｉｓｈ）、検索（Ｓｅａｒｃｈ）、選択（Ｓｅｌｅｃｔ）、位置の決定（Ｌｏｃａｔｅ）、獲得（Ａｃｑｕｉｒｅ）、視聴（Ｖｉｅｗ）、及び終了（Ｆｉｎｉｓｈ）で構成される。
【００３７】
サービスするコンテンツ（ＡＶ番組又はパッケージ）に応じて、そして、サービスするパッケージがＡＶ番組に対して独立的か依存的かに応じて、大きく３種類の動作シナリオを有する。
【００３８】
［公示（Ｐｕｂｌｉｓｈ）］
ＡＶ番組の提供の場合、コンテンツ生成部１００は、ＡＶ番組を生成する。コンテンツサービス提供部２００は、ＡＶ番組を識別するＣＲＩＤ（Ｃｏｎｔｅｎｔ  Ｒｅｆｅｒｅｎｃｅ  ＩＤｅｎｔｉｆｉｅｒ）、ＡＶ番組のアトラクティブメタデータ、スケジュール情報、及び位置決定データを公示する。
【００３９】
ここで、ＡＶ番組のアトラクティブメタデータ及びスケジュール情報は、ＴＶＡ−１メタデータスキーマの番組情報（ＰｒｏｇａｍｅＩｎｆｏｒｍａｔｉｏｎ）及び番組位置（ＰｒｏｇｒａｍＬｏｃａｔｉｏｎ）として記述する。
【００４０】
また、コンテンツサービス提供部２００は、番組情報の下位要素「ＴａｒｇｅｔｉｎｇＩｎｆｏｒｍａｔｉｏｎ」で、本発明のＵＥＤ分類体系情報を活用してＡＶ番組の消費に適切なユーザ環境及び選好度を明示することによって、ユーザが、本人の環境及び選好度に合ったＡＶ番組を選択できるようにする。すなわち、本発明に係るＵＥＤ分類体系情報は、メタデータの形でユーザに提供される。
【００４１】
提供しようとするパッケージがＡＶ番組に対して独立的な場合は、コンテンツ生成部１００は、パッケージのみを生成する。パッケージは、ＴＶＡ−２パッケージスキーマによって記述され、コンテンツ記述子（ＣｏｎｔｅｎｔＤｉｓｃｒｉｐｔｉｏｎ）要素の下位要素の「ＴａｒｇｅｔｉｎｇＩｎｆｏｒｍａｔｉｏｎ」で、本発明のＵＥＤ分類体系を活用してパッケージを構成するそれぞれのコンポーネントの消費に適切なユーザ環境及び選好度を明示することによって、ユーザが、本人の環境及び選好度に合ったコンポーネントを選択できるようにする。
【００４２】
コンテンツサービス提供部２００は、パッケージを識別するＣＲＩＤ（Ｃｏｎｔｅｎｔ  Ｒｅｆｅｒｅｎｃｅ  ＩＤｅｎｔｉｆｉｅｒ）、パッケージの消費を誘導するパッケージアトラクティブメタデータ、及びパッケージの概略スケジュール情報を公示する。また、パッケージが、いつ、どこで獲得できるかを記述する位置決定（ｌｏｃａｔｉｏｎ  ｒｅｓｏｌｕｔｉｏｎ）データを公示する。上述のように、パッケージのアトラクティブメタデータ及びスケジュール情報は、通常のＡＶ番組のようにＴＶＡ−１メタデータスキーマの番組情報及び番組位置として記述する。また、コンテンツサービス提供部２００は、番組情報の下位要素「ＴａｒｇｅｔｉｎｇＩｎｆｏｒｍａｔｉｏｎ」で、本発明のＵＥＤ分類体系情報を活用してパッケージの消費に適切なユーザ環境及び選好度を明示することによってユーザが本人の環境及び選好度に合ったパッケージを選択できるようにする。
【００４３】
一方、提供しようとするパッケージがＡＶ番組に対して依存的であれば、コンテンツ生成部１００は、ＡＶ番組及びＡＶ番組に対して依存的なパッケージを生成する。コンテンツサービス提供部２００は、ＡＶ番組を識別するＣＲＩＤ（Ｃｏｎｔｅｎｔ  Ｒｅｆｅｒｅｎｃｅ  ＩＤｅｎｔｉｆｉｅｒ）、ＡＶ番組のアトラクティブメタデータ、スケジュール情報、位置決定情報、及びＡＶ番組に接続されているパッケージのリンク情報を公示する。ここで、ＡＶ番組のアトラクティブメタデータ及びスケジュール情報は、ＴＶＡ−１メタデータのスキーマの番組情報及び番組位置として記述し、ＡＶ番組に接続されているパッケージのリンク情報は、ＡＶ番組の番組情報「ＲｅｌａｔｅｄＭａｔｅｒｉａｌ」要素として記述する。また、コンテンツサービス提供部２００は、番組情報の下位要素「ＴａｒｇｅｔｉｎｇＩｎｆｏｒｍａｔｉｏｎ」で本発明のＵＥＤ分類体系情報を活用してＡＶ番組の消費に適切なユーザ環境及び選好度を明示することによって、ユーザが本人の環境及び選好度に合ったＡＶ番組を選択できるようにする。同種又は異種のコンテンツサービス提供部２００は、パッケージを識別するＣＲＩＤ（Ｃｏｎｔｅｎｔ  Ｒｅｆｅｒｅｎｃｅ  ＩＤｅｎｔｉｆｉｅｒ）及びパッケージが、いつ、どこで獲得できるかを記述する位置決定データを公示する。
【００４４】
［検索（Ｓｅａｒｃｈ）］
ＡＶ番組の提供の場合、コンテンツ検索・探索部３００は、ＥＰＧを介してＡＶ番組のアトラクティブメタデータ及びスケジュール情報をユーザに提供する。また、ＥＰＧは、「ＴａｒｇｅｔｉｎｇＩｎｆｏｒｍａｔｉｏｎ」で本発明のＵＥＤ分類体系情報を活用して記述したＡＶ番組の消費に適切なユーザ環境及び選好度情報を提供する。
【００４５】
ユーザは、ＥＰＧの提供するＡＶ番組のタイトル、あらすじ、及び俳優などのＡＶ番組のアトラクティブメタデータを把握し、ＡＶ番組の消費に適切なユーザ環境及び選好度の情報と本人の環境及び選好度とを比較して消費しようとするＡＶ番組をコンテンツ検索・探索部３００を介して検索する。
【００４６】
提供するパッケージがＡＶ番組に対して独立的であれば、ＥＰＧは、パッケージアトラクティブメタデータ及びパッケージスケジュール情報をユーザに提供する。また、ＥＰＧは、「ＴａｒｇｅｔｉｎｇＩｎｆｏｒｍａｔｉｏｎ」で本発明のＵＥＤ分類体系情報を活用して記述したパッケージの消費に適切なユーザ環境及び選好度情報を提供する。
【００４７】
ユーザは、ＥＰＧの提供するパッケージタイトル、あらすじ、及び俳優などのパッケージアトラクティブメタデータを把握し、パッケージの消費に適切なユーザ環境及び選好度情報と本人の環境及び選好度とを比較しながら消費しようとするパッケージを検索する。
【００４８】
提供するパッケージがＡＶ番組に対して依存的であれば、ＥＰＧは、ＡＶ番組のアトラクティブメタデータ及びスケジュール情報と共にＡＶ番組に接続されているパッケージのリンク情報を提供する。また、ＥＰＧは、「ＴａｒｇｅｔｉｎｇＩｎｆｏｒｍａｔｉｏｎ」で本発明のＵＥＤ分類体系情報を活用して記述したＡＶ番組の消費に適切なユーザ環境及び選好度情報を提供する。
【００４９】
ユーザは、ＥＰＧの提供するＡＶ番組のタイトル、あらすじ、及び俳優などのＡＶ番組のアトラクティブメタデータを把握し、ＡＶ番組の消費に適切なユーザ環境及び選好度情報と本人の環境及び選好度とを比較しながら消費しようとするＡＶ番組を検索する。
【００５０】
ユーザは、ＥＰＧを介してＡＶ番組を検索したり番組視聴の際、ＡＶ番組に接続されたパッケージに関する情報を得る。
【００５１】
［選択（Ｓｅｌｅｃｔ）］
ＡＶ番組の場合、ユーザは、ＥＰＧでユーザが嗜好するＡＶ番組の選択の際、コンテンツ検索・探索部３００からＡＶ番組のＣＲＩＤを獲得する。
【００５２】
提供するパッケージがＡＶ番組に対して独立的であれば、ユーザは、ＥＰＧでユーザが嗜好するパッケージの選択の際、パッケージのＣＲＩＤを獲得する。
【００５３】
提供するパッケージがＡＶ番組に対して依存的であれば、ユーザは、ＥＰＧでユーザが嗜好するＡＶ番組の選択の際、ＡＶ番組の番組情報の「ＲｅｌａｔｅｄＭａｔｅｒｉａｌ」要素からＡＶ番組に接続されたパッケージのＣＲＩＤを獲得する。
【００５４】
［位置の決定（Ｌｏｃａｔｅ）］
ＡＶプログラム及びパッケージは、全てＣＲＩＤから位置決定メカニズムを介して位置決定部４００から実際のＡＶ番組及びパッケージが提供される物理的な位置の情報を得る。格納装置管理部５００は、録画時、衝突を防ぐため、複数のコンテンツ位置（チャンネル＋時間情報）のうち、任意の位置を選択する。
【００５５】
［獲得（Ａｃｑｕｉｒｅ）］
選択した位置情報（チャンネル＋時間情報）でＡＶ番組又はパッケージを獲得する。
【００５６】
パッケージを獲得した場合、ユーザは、パッケージに属する個別コンポーネントのアトラクティブメタデータを把握し、コンテンツ記述子要素の下位要素「ＴａｒｇｅｔｉｎｇＩｎｆｏｒｍａｔｉｏｎ」で、本発明のＵＥＤ分類体系情報を活用して記述したそれぞれのコンポーネントの消費に適切なユーザ環境及び選好度の情報と本人の環境及び選好度とを比較して消費しようとする全体又は部分コンポーネントを自動又は半自動的に選択する。
【００５７】
コンポーネントを選択すると、それぞれのコンポーネントのＣＲＩＤから位置決定メカニズムを介して位置決定部４００から実際のコンポーネントを提供する物理的な位置情報を得て、当該位置からコンポーネントを獲得する。
【００５８】
［視聴（Ｖｉｅｗ）］
ＡＶ番組であれば、ユーザ画面に出力してユーザの視聴ができるようにし、パッケージであれば、ユーザが選んだ全てのコンポーネントを獲得した後、コンポーネント間の空間的及び時間的な関係情報を用いて画面を構成し、ユーザに提供することによって、ユーザが視聴できるようにする。
【００５９】
［終了（Ｆｉｎｉｓｈｉｎｇ）］
ユーザのＡＶ番組及びパッケージ視聴の履歴情報は、端末に格納され、ユーザの選好度の抽出に活用される。
【００６０】
以下、本発明に係るＵＥＤ分類体系情報の様々な実施例について詳しく述べる。
【００６１】
本発明に係るＵＥＤ分類体系情報は、ＭＰＥＧ−２１パート７  ＤＩＡに定義されているＵＥＤに関する分類体系に定義されている用語を用い、本発明に係るカスタマイズされた放送サービス提供のために必要なＵＥＤ分類体系に関する用語を追加で定義する。後述の本発明に係るＵＥＤ分類体系情報に用いる用語のうち、ＭＰＥＧ−２１パート７  ＤＩＡに定義されるＵＥＤに関する分類体系に定義されている用語と同じ名称の要素は、同じ定義を有するものであって、具体的な説明は省略する。
【００６２】
本発明に係るＵＥＤ分類体系情報は、端末タイプの分類体系情報（ＴｅｒｍｉｎａｌＴｙｐｅＣＳ）、位置タイプの分類体系情報（ＰｌａｃｅＴｙｐｅＣＳ）、及び気象タイプの分類体系情報（ＷｅａｔｈｅｒＴｙｐｅＣＳ）を含む。
【００６３】
前記端末タイプの分類体系情報は、「ＴｅｒｍｉｎａｌＩｎｆｏｒｍａｔｉｏｎＴｙｐｅ」の「ＴｅｒｍｉｎａｌＴｙｐｅ」に関する用語を定義したものであって、ＭＰＥＧ−２１パート７に定義されている用語に追加し、ユーザ端末のタイプのうち、車両端末に関する様々なタイプを分類して記述する車両端末タイプ情報を更に含む。
【００６４】
前記車両端末情報は、車両用ステレオ、車両用ナビゲーション、及び車両用ＡＶに関する用語を含むことによって、ユーザの車両端末の種類を具体的に分類できるようにする。
【００６５】
前記端末タイプの分類体系情報（ＴｅｒｍｉｎａｌＴｙｐｅＣＳ）のＸＭＬ構文は下記のとおりである。
【数１】
2008532343.tif 000003
2008532343.tif 000004
【００６６】
前記位置タイプの分類体系情報（ＰｌａｃｅＴｙｐｅＣＳ）は、「ＮａｔｕｒａｌＥｎｖｉｒｏｎｍｅｎｔＩｎｆｏｒｍａｔｉｏｎＴａｂｌｅＴｙｐｅ」の「Ｌｏｃａｔｉｏｎ」に用いられ、ＭＰＥＧ−２１パート７に定義されている用語に追加し、移動中のユーザの様々な移動環境条件を記述する移動タイプ（ｍｏｂｉｌｉｔｙ）情報を含む。
【００６７】
該移動タイプ情報は、ユーザが公共交通機関を利用している移動タイプを示す公共交通タイプ、車両を利用している移動タイプを示す車両タイプ、汽車を利用している移動タイプを示す汽車タイプ、飛行機を利用している移動タイプを示す飛行機タイプ、及び徒歩で移動しているタイプを示す徒歩タイプを記述するが、当該徒歩タイプは、歩くタイプ（ｗａｌｋｉｎｇ）及び走るタイプ（ｒｕｎｎｉｎｇ）を含む。
【００６８】
前記位置タイプの分類体系情報（ＰｌａｃｅＴｙｐｅＣＳ）のＸＭＬ構文は、下記のとおりである。
【数２】
2008532343.tif 000005
2008532343.tif 000006
2008532343.tif 000007
2008532343.tif 000008
2008532343.tif 000009
2008532343.tif 000010
2008532343.tif 000011
2008532343.tif 000012
【００６９】
前記気象タイプの分類体系情報（ＷｅａｔｈｅｒＴｙｐｅＣＳ）は、「ＮａｔｕｒａｌＥｎｖｉｒｏｎｍｅｎｔＩｎｆｏｒｍａｔｉｏｎＴａｂｌｅＴｙｐｅ」の「ＷｅａｔｈｅｒＴｙｐｅ」に関する用語を定義し、ＭＰＥＧ−７又はＭＰＥＧ−２１に定義されていない分類体系であって、様々な気象状態を分類して記述する標準気象用語を下記のＸＭＬ構文のように定義する。
【００７０】
更に具体的には、前記気象タイプの分類体系情報（ＷｅａｔｈｅｒＴｙｐｅＣＳ）は、四季分類用語（Ｓｐｒｉｎｇ、Ｓｕｍｍｅｒ、Ａｕｔｕｍｎ、Ｗｉｎｔｅｒ）、通常気象分類用語（Ｓｕｎｎｙ、Ｒａｉｎｙ、Ｃｌｏｕｄｙ、Ｓｎｏｗｙ、Ｗｉｎｄｙ、Ｆｏｇｇｙ、Ｆｒｏｓｔｙ、Ｓｔｏｒｍ）、及び異常気象分類用語（ｅｘｔｒｅｍｅ  ｗｅａｔｈｅｒ）を定義して記述する。
【００７１】
ここで、前記気象分類用語のうち、嵐を定義する用語の「Ｓｔｏｒｍ」は、また、雷を伴った嵐を意味する「ＴｈｕｎｄｅｒＳｔｏｒｍ」、雨を伴った嵐を意味する「ＲａｉｎＳｔｏｒｍ」、及び雪を伴った嵐を意味する「Ｓｎｏｗｓｔｏｒｍ」に分けられる。
【００７２】
また、前記異常気象分類用語（ｅｘｔｒｅｍｅ  ｗｅａｔｈｅｒ）は、ハリケーン、台風、及びトルネードに分けられる。
【００７３】
前記気象タイプの分類体系情報（ＷｅａｔｈｅｒＴｙｐｅＣＳ）のＸＭＬ構文は次のとおりである。
<xml version="1.0" encoding="UTF-8">
<ClassificationScheme uri="urn:tva:metadata:extended:cs:WeatherTypeCS:2005">
<Term termId="1">
<Name xml:lang="en">Spring</Name>
<Definition xml:lang="en">
The season between winter and summer in which leaves and flowers appear.
</Definition>
</Term>
<Term termId="2">
<Name xml:lang="en">Summer</Name>
<Definition xml:lang="en">
The season between spring and autumn when the sun is hot and there are many flower.
</Definition>
</Term>
<Term termId="3">
<Name xml:lang="en">Autumn</Name>
<Definition xml:lang="en">
The season between summer and winter when leaves turn gold and fruits become ripe.
</Definition>
</Term>
<Term termId="4">
<Name xml:lang="en">Winter</Name>
<Definition xml:lang="en">
The season between autumn and spring when it is cold and most trees have lost their leaves.
</Definition>
</Term>
<Term termId="5">
<Name xml:lang="en">Sunny</Name>
<Definition xml:lang="en">
Having bright sunlight.
</Definition>
</Term>
<Term termId="6">
<Name xml:lang="en">Rainy</Name>
<Definition xml:lang="en">
Having a lot of rain.
</Definition>
</Term>
<Term termId="7">
<Name xml:lang="en">Cloudy</Name>
<Definition xml:lang="en">
Full of clouds.
</Definition>
</Term>
<Term termId="8">
<Name xml:lang="en">Snowy</Name>
<Definition xml:lang="en">
Full of snow or snowing.
</Definition>
</Term>
<Term termId="9">
<Name xml:lang="en">Windy</Name>
<Definition xml:lang="en">
With a lot of wind.
</Definition>
</Term>
<Term termId="10">
<Name xml:lang="en">Foggy</Name>
<Definition xml:lang="en">
With a lot of fog.
</Definition>
</Term>
<Term termId="11">
<Name xml:lang="en">Frosty</Name>
<Definition xml:lang="en">
With a lot of frost.
</Definition>
</Term>
<Term termId="12">
<Name xml:lang="en">Storm</Name>
<Definition xml:lang="en">
A rough weather condition with wind, rain, and often lightning.
</Definition>
<Term termId="12.1">
<Name xml:lang="en">ThunderStorm</Name>
</Term>
<Term termId="12.2">
<Name xml:lang="en">RainStorm</Name>
</Term>
<Term termId="12.3">
<Name xml:lang="en">SnowStorm</Name>
</Term>
</Term>
<Term termId="13">
<Name xml:lang="en">Extreme Weather</Name>
<Term termId="13.1">
<Name xml:lang="en">Hurricane</Name>
</Term>
<Term termId="13.2">
<Name xml:lang="en">Typhoon</Name>
</Term>
<Term termId="13.3">
<Name xml:lang="en">Tornado</Name>
</Term>
</Term>
</ClassificationScheme>
【００７４】
上述のように、本発明の方法は、プログラムとして実現され、コンピュータで読み出すことのできる形で記録媒体（ＣＤ−ＲＯＭ、ＲＡＭ、ＲＯＭ、フロッピーディスク、ハードディスク、及び光磁気ディスクなど）に格納され得る。このような過程は、本発明の属する技術分野における通常の知識を有する者が容易に実施することができるため、これ以上詳しく説明しない。
【００７５】
以上で説明した本発明は、本発明の属する技術分野における通常の知識を有する者にとって、本発明の技術的思想を逸脱しない範囲内で様々な置換、変形及び変更が可能なため、上述の実施形態及び添付された図面によって限定されるものではない。
【００７６】
［産業上の利用可能性］
本発明は、ＴＶＡ（ＴＶ−Ａｎｙｔｉｍｅ）システムなどに用いられる。
【図面の簡単な説明】
【００７７】
【図１】本発明に係るカスタマイズされた放送システムの一実施例を示す全体構成図である。
【図２】本発明に係るカスタマイズされた放送システムの一実施例を示す詳細構成図である。
【図３】本発明に係るＵＥＤ分類体系情報を用いるカスタマイズされた放送サービス提供過程についての一実施例を示すフローチャートである。
【図１】
2008532343.tif 000021
【図２】
2008532343.tif 000022
【図３】
2008532343.tif 000023
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
１８０アミノ酸からなる百日咳毒素Ｓ１サブユニットのアミノ酸配列において、
（ａ）第９番目のアルギニン残基のリジン残基への変異、および
（ｂ）第１２９番目のグルタミン酸残基のグリシン残基への変異
からなる群から選択される少なくとも一つの変異を有するアミノ酸配列を有する、ポリペプチド。
【請求項２】
変異を有さない、前記１８０アミノ酸からなる百日咳毒素Ｓ１サブユニットのアミノ酸配列が、配列番号２における第２〜１８１番で表されるアミノ酸配列、または該アミノ酸配列において、前記（ａ）および／または（ｂ）の変異以外の部位において、１個または数個のアミノ酸が置換、欠失もしくは付加したものである、請求項１に記載のポリペプチド。
【請求項３】
変異を有さない、前記１８０アミノ酸からなる百日咳毒素Ｓ１サブユニットのアミノ酸配列が、配列番号２における第２〜１８１番で表されるアミノ酸配列の部分配列であって前記（ａ）および／または（ｂ）の変異の部位を含む部分配列、を含んでなるものである、請求項１に記載のポリペプチド。
【請求項４】
前記（ａ）の変異を有するものである、請求項１に記載のポリペプチド。
【請求項５】
前記（ｂ）の変異を有するものである、請求項１に記載のポリペプチド。
【請求項６】
前記（ａ）および前記（ｂ）の変異を有するものである、請求項１に記載のポリペプチド。
【請求項７】
請求項１〜６のいずれか一項に記載のポリペプチドをコードする、ＤＮＡ。
【請求項８】
配列番号１における第１０〜５４９番で表されるヌクレオチド配列において、第３４〜３６番残基がＡＡＧへ置換されたヌクレオチド配列を有するものである、請求項７に記載のＤＮＡ。
【請求項９】
配列番号１における第１０〜５４９番で表されるヌクレオチド配列において、第３９５〜３９６番残基がＧＣへ置換されたヌクレオチド配列を有するものである、請求項７に記載のＤＮＡ。
【請求項１０】
配列番号１における第１０〜５４９番で表されるヌクレオチド配列において、第３４〜３６番残基がＡＡＧへ置換され、かつ第３９５〜３９６番残基がＧＣへ置換されたヌクレオチド配列を有するものである、請求項７に記載のＤＮＡ。
【請求項１１】
１８０アミノ酸からなる百日咳毒素Ｓ１サブユニットのアミノ酸配列において、
（ａ）第９番目のアルギニン残基のリジン残基への変異、および
（ｂ）第１２９番目のグルタミン酸残基のグリシン残基への変異
からなる群から選択される少なくとも一つの変異を有するアミノ酸配列をコードするＤＮＡを発現しうる形で含んでなる、ＤＮＡ構築物。
【請求項１２】
変異を有さない、前記１８０アミノ酸からなる百日咳毒素Ｓ１サブユニットのアミノ酸配列が、配列番号２における第２〜１８１番で表されるアミノ酸配列である、請求項１１に記載のＤＮＡ構築物。
【請求項１３】
変異を有さない、前記１８０アミノ酸からなる百日咳毒素Ｓ１サブユニットのアミノ酸配列が、配列番号２における第２〜１８１番で表されるアミノ酸配列、または該アミノ酸配列において、前記（ａ）および／または（ｂ）の変異以外の部位において、１個または数個のアミノ酸が置換、欠失もしくは付加したものである、請求項１１に記載のＤＮＡ構築物。
【請求項１４】
変異を有さない、前記１８０アミノ酸からなる百日咳毒素Ｓ１サブユニットのアミノ酸配列が、配列番号２における第２〜１８１番で表されるアミノ酸配列の部分配列であって前記（ａ）および／または（ｂ）の変異の部位を含む部分配列、を含んでなるものである、請求項１１に記載のＤＮＡ構築物。
【請求項１５】
前記ＤＮＡによりコードされるアミノ酸配列が、前記（ａ）の変異を有するものである、請求項１１〜１４のいずれか一項に記載のＤＮＡ構築物。
【請求項１６】
前記ＤＮＡが、配列番号１における第１０〜５４９番で表されるヌクレオチド配列において、第３４〜３６番残基がＡＡＧへ置換されたヌクレオチド配列を有するものである、請求項１５に記載のＤＮＡ構築物。
【請求項１７】
前記ＤＮＡによりコードされるアミノ酸配列が、前記（ｂ）の変異を有するものである、請求項１１〜１４のいずれか一項に記載のＤＮＡ構築物。
【請求項１８】
前記ＤＮＡが、配列番号１における第１０〜５４９番で表されるヌクレオチド配列において、第３９５〜３９６番残基がＧＣへ置換されたヌクレオチド配列を有するものである、請求項１７に記載のＤＮＡ構築物。
【請求項１９】
前記アミノ酸配列が、前記（ａ）および前記（ｂ）の変異を有するものである、請求項１１〜１４のいずれか一項に記載のＤＮＡ構築物。
【請求項２０】
前記ＤＮＡが、配列番号１における第１０〜５４９番で表されるヌクレオチド配列において、第３４〜３６番残基がＡＡＧへ置換され、かつ第３９５〜３９６番残基がＧＣへ置換されたヌクレオチド配列を有するものである、請求項１９に記載のＤＮＡ構築物。
【請求項２１】
請求項１１〜２０のいずれか一項に記載のＤＮＡ構築物を含んでなる、ベクター。
【請求項２２】
請求項１〜６のいずれか一項に記載のポリペプチドを含んでなる、医薬組成物。
【請求項２３】
請求項１１〜２０のいずれか一項に記載のＤＮＡ構築物または請求項２１に記載のベクターを含んでなる、医薬組成物。
【請求項２４】
百日咳感染症の予防または治療に用いられるものである、請求項２２または２３に記載の医薬組成物。
【請求項２５】
百日咳感染症の予防剤または治療剤の製造における、請求項１〜６のいずれか一項に記載のポリペプチドの使用。
【請求項２６】
百日咳感染症の予防剤または治療剤の製造における、請求項１１〜２０のいずれか一項に記載のＤＮＡ構築物または請求項２１に記載のベクターの使用。
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
ユーザの使用環境に従ってユーザ端末へ放送コンテンツを提供するカスタマイズされた放送サービス提供装置であって、
使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するメタデータ生成手段と、
前記放送コンテンツ及び前記メタデータを提供する手段と、
を備え、
前記ＵＥＤ分類体系情報が、
ユーザ端末のタイプを記述する端末タイプ分類体系情報を含み、前記端末タイプ分類体系情報は車両端末のタイプを記述することを特徴とするカスタマイズされた放送サービス提供装置。
【請求項２】
前記車両端末タイプ分類体系情報が、
車両用ステレオ、車両用ナビゲーション、又は車両用ＡＶを記述することを特徴とする請求項１に記載のカスタマイズされた放送サービス提供装置。
【請求項３】
ユーザの使用環境に従って放送コンテンツを受信するユーザ端末装置であって、
カスタマイズされた放送サービス提供装置から公示された使用環境記述（Ｕｓａｇｅ Ｅｎｖｉｒｏｎｍｅｎｔ  Ｄｅｓｃｒｉｐｔｉｏｎ、以下、ＵＥＤとする）分類体系情報を含むメタデータに基づいて放送コンテンツを検索及び選択して獲得するユーザ相互作用部と、
ユーザに視聴される前記放送コンテンツ及びメタデータを表示するコンテンツ出力部と
を備え、
前記ＵＥＤ分類体系情報が、
ユーザ端末のタイプを記述する端末タイプ分類体系情報を含み、前記端末タイプ分類体系情報は車両端末のタイプを記述することを特徴とするユーザ端末装置。
【請求項４】
ユーザの使用環境に従ってユーザ端末へ放送コンテンツを提供するカスタマイズされた放送サービス提供装置であって、
前記放送コンテンツに基づく使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するメタデータ生成手段と、
前記放送コンテンツ及び前記メタデータを提供する手段と、
を備え、
前記ＵＥＤ分類体系情報が、ユーザの位置する環境条件を記述する位置タイプ分類体系情報を有し、前記位置タイプ分類体系情報は移動中のユーザの移動環境条件を記述する移動タイプ情報を含むことを特徴とするカスタマイズされた放送サービス提供装置。
【請求項５】
前記移動タイプ情報は、
ユーザが公共交通機関を利用していることを示す公共交通機関タイプ情報と、
ユーザが車両を利用していることを示す車両タイプ情報と、
ユーザが列車を利用していることを示す列車タイプ情報と、
ユーザが飛行機を利用していることを示す飛行機タイプ情報と、
ユーザが徒歩で移動していることを示す徒歩タイプ情報と
を含むことを特徴とする請求項４に記載のカスタマイズされた放送サービス提供装置。
【請求項６】
前記徒歩タイプ情報は、歩きタイプ又は走りタイプを記述することを特徴とする請求項５に記載のカスタマイズされた放送サービス提供装置。
【請求項７】
前記位置タイプ分類体系情報は、移動タイプ分類体系情報を含むことを特徴とする請求項４に記載のカスタマイズされた放送サービス提供装置。
【請求項８】
ユーザの使用環境に従ってユーザ端末へ放送コンテンツを提供するカスタマイズされた放送サービス提供装置であって、
前記放送コンテンツに基づく使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するメタデータ生成手段と、
前記放送コンテンツ及び前記メタデータを提供する手段と、
を備え、
前記ＵＥＤ分類体系情報は気象環境条件を記述する気象タイプ分類体系情報を含むことを特徴とするカスタマイズされた放送サービス提供装置。
【請求項９】
前記気象タイプ分類体系情報は、四季分類用語、通常気象分類用語、又は異常気象分類用語を記述することを特徴とする請求項８に記載のカスタマイズされた放送サービス提供装置。
【請求項１０】
前記異常気象分類用語はハリケーン、台風、又はトルネードを記述することを特徴とする請求項９に記載のカスタマイズされた放送サービス提供装置。
【請求項１１】
ユーザの使用環境に従ってユーザ端末へ放送コンテンツを提供するカスタマイズされた放送サービス提供方法であって、
前記放送コンテンツに基づく使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するステップと、
前記放送コンテンツ及び前記メタデータを提供するステップと、
を含み、
前記ＵＥＤ分類体系情報は前記ユーザ端末のタイプを分類して記述する端末タイプ分類体系情報を含み、前記端末タイプ分類体系情報は車両端末のタイプを記述する車両端末タイプ分類体系情報を含むことを特徴とするカスタマイズされた放送サービス提供方法。
【請求項１２】
前記車両端末タイプ分類体系情報は、車両用ステレオ、車両用ナビゲーション、又は車両用ＡＶを記述することを特徴とする請求項１１に記載のカスタマイズされた放送サービス提供方法。
【請求項１３】
ユーザの使用環境に従ってユーザ端末へ放送コンテンツを提供するカスタマイズされた放送サービス提供方法であって、
前記放送コンテンツに基づく使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するステップと、
前記放送コンテンツ及び前記メタデータを提供するステップと、
を含み、
前記ＵＥＤ分類体系情報はユーザの位置する環境条件を記述する位置タイプ分類体系情報を有し、前記位置タイプ分類体系情報は移動中のユーザの移動環境条件を記述する移動タイプ情報を含むことを特徴とするカスタマイズされた放送サービス提供方法。
【請求項１４】
前記移動タイプ情報は、
ユーザが公共交通機関を利用していることを示す公共交通機関タイプ情報と、
ユーザが車両を利用していることを示す車両タイプ情報と、
ユーザが列車を利用していることを示す列車タイプ情報と、
ユーザが飛行機を利用していることを示す飛行機タイプ情報と、
ユーザが徒歩で移動していることを示す徒歩タイプ情報と
を含むことを特徴とする請求項１３に記載のカスタマイズされた放送サービス提供方法。
【請求項１５】
前記徒歩タイプ情報は、歩きタイプ又は走りタイプを記述することを特徴とする請求項１４に記載のカスタマイズされた放送サービス提供方法。
【請求項１６】
ユーザの使用環境に従ってユーザ端末へ放送コンテンツを提供するカスタマイズされた放送サービス提供方法であって、
前記放送コンテンツに基づく使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを生成するステップと、
前記放送コンテンツ及び前記メタデータを提供するステップと、
を含み、
前記ＵＥＤ分類体系情報は気象環境条件を記述する気象タイプ分類体系情報を含むことを特徴とするカスタマイズされた放送サービス提供方法。
【請求項１７】
前記気象タイプ分類体系情報は、四季分類用語、通常気象分類用語、又は異常気象分類用語を記述することを特徴とする請求項１６に記載のカスタマイズされた放送サービス提供方法。
【請求項１８】
前記異常気象分類用語はハリケーン、台風、又はトルネードを記述することを特徴とする請求項１７に記載のカスタマイズされた放送サービス提供方法。
【請求項１９】
ユーザの使用環境に従って放送コンテンツを受信するユーザ端末装置であって、
使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを使用して、カスタマイズされた放送コンテンツ提供装置により公示された放送コンテンツを検索及び選択して獲得するユーザ相互作用部と、
ユーザに視聴される前記放送コンテンツ及びメタデータを表示するコンテンツ出力部と
を備え、
前記ＵＥＤ分類体系情報が、ユーザの位置する環境条件を記述する位置タイプ分類体系情報を有し、前記位置タイプ分類体系情報は移動中のユーザの移動環境条件を記述することを特徴とするユーザ端末装置。
【請求項２０】
ユーザの使用環境に従って放送コンテンツを受信するユーザ端末装置であって、
使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を含むメタデータを使用して、カスタマイズされた放送コンテンツ提供装置により公示された放送コンテンツを検索及び選択して獲得するユーザ相互作用部と、
ユーザに視聴される前記放送コンテンツ及びメタデータを表示するコンテンツ出力部と
を備え、
前記ＵＥＤ分類体系情報は気象環境条件を記述する気象タイプ分類体系情報を含むことを特徴とするユーザ端末装置。
【請求項２１】
ＴＶＡ（ＴＶ−Ａｎｙｔｉｍｅ）放送サービスのための使用環境記述（Ｕｓａｇｅ  Ｅｎｖｉｒｏｎｍｅｎｔ  Ｄｅｓｃｒｉｐｔｉｏｎ、以下、ＵＥＤとする）分類体系情報を有するメタデータ構造であって、
前記ＵＥＤ分類体系情報は、
ユーザ端末タイプを記述する端末タイプ分類体系情報と、
ユーザの位置する環境条件を記述する位置タイプ分類体系情報と、
気象の環境条件を定義して記述する気象タイプ分類体系情報と、
を含むことを特徴とするメタデータ構造。
【国際調査報告】
2008532343.tif 000024
2008532343.tif 000025
2008532343.tif 000026